(57)【要約】【課題】  リモートコントローラによるチャンネル切替操作を従来と同等とする。【解決手段】  チューナ回路部１１と、ＯＦＤＭ復調部１２と、ＡＶデコーダ１３等を介して受信した放送電波から所定の映像信号を生成してテレビジョン受像機１に供給する。ＲＦエンコーダ１４を備えて、ＡＶデコーダ１３から地上波デジタルテレビジョン放送に基づくデジタル映像信号が供給されると、アナログ映像信号に変換してテレビジョン受像機１へと供給することで、リモートコントローラ３で指定したチャンネルに応じた番組放送が放映されるようにする。【選択図】  図２
2006135600.tif 000002
【特許請求の範囲】
【請求項１】
アンテナ部で受信した複数の放送方式による放送電波から、所定の周波数選択特性に基づいて所定周波数帯域の放送電波を選択し、この放送電波を増幅して出力するチューナ回路部と、
前記チューナ回路部から出力された所定周波数帯域の放送電波に対して所定の復調処理を施して復調放送番組信号を出力する直交周波数分割多重復調回路部と、
前記直交周波数分割多重復調回路部から出力される復調放送番組信号に所定の処理を施して番組映像信号を生成する画像信号処理回路部と、
前記画像処理回路部からデジタル番組映像信号が出力されると、このデジタル番組映像信号をアナログ番組映像信号に変換してテレビジョン受像機へと供給するデジタル映像信号−アナログ映像信号変換回路部と、
リモートコントローラから出射されたチャンネル切替信号を受信して前記チューナ回路部に対して所定の周波数選択特性を設定する制御信号を出力するリモートコントロール信号受信回路部と
を備えることを特徴とするデジタルテレビジョンチューナ装置。
【請求項２】
前記リモートコントローラのチャンネル切替信号は、前記リモートコントロール信号受信回路部及びテレビジョン受像機で受信されて、本体装置及びテレビジョン受像機を所定の周波数選択特性に設定することを特徴とする請求項１に記載のデジタルテレビジョンチューナ装置。
【発明の詳細な説明】
【技術分野】
【０００１】
本発明は、地上波デジタルテレビジョン放送（ISDB-T:Integrated Services Digital Broadcasting-Terrestrial）やＢＳ（Broadcasting Satellite）衛星テレビジョン放送、１１０度ＣＳ（Communications Satellite）衛星テレビジョン放送とを受信処理するデジタルテレビジョンチューナ装置に関する。
【背景技術】
【０００２】
テレビジョン受像機には、地上波デジタルテレビジョン放送の開始に伴って、その放送番組を受信するチューナ装置が必要となる。チューナ装置は、一般にチューナ回路部やＯＦＤＭ回路或いはＡＶディコーダ等を備え、アンテナによって受信した放送電波に対して各回路部で所定の信号処理を施した後に番組映像信号をテレビジョン受像機のテレビジョン端子（Ｒ端子）へと供給して番組放送が放映されるようにする。
【０００３】
地上波デジタルテレビジョン放送は、高画質な映像や高品質の音響が提供されるようになるとともに、字幕放送や解説放送或いは地域放送等の多チャンネル化が図られる。地上波デジタルテレビジョン放送においては、各種のデータ放送も提供され、また高度な双方向サービスの利用も可能となる。地上波デジタルテレビジョン放送においては、このために高機能のリモートコントローラが用いられるようになる。
【特許文献１】特開２００４−４８３１２号公報
【発明の開示】
【発明が解決しようとする課題】
【０００４】
ところで、地上波デジタルテレビジョン放送用チューナ装置は、放送方式を異にするＢＳ放送用とＣＳ放送用とに対応する仕様も備える場合があり、上述した多機能の処理を行うようにするために比較的高価である。また、地上波デジタルテレビジョン放送用チューナ装置は、従来のアナログ放送対応のテレビジョン受像機に接続する場合に、極めて面倒なセットアップ処理操作が必要とされる。さらに、地上波デジタルテレビジョン放送用チューナ装置は、上述したようにテレビジョン放送の多機能化が図られることによって、使用者が面倒なリモートコントローラ操作を行わなければならない。
【０００５】
例えば、高齢者等においては、もっぱらテレビ放送番組を視聴する使用形態が主体となり、様々な機能を有するリモートコントローラの操作が極めて面倒である。高齢者等においては、従来のアナログテレビジョン放送用のリモートコントローラと同様にチャンネル数字をプッシュするチャンネル切替操作によって、所望のテレビ放送番組が視聴できるようにすることを可能とする要望が極めて大きい。
【０００６】
したがって、本発明は、複数の放送方式によるデジタル放送電波を受信するデジタルテレビジョン用のチューナ装置であり、リモートコントローラによるチャンネル切替操作が従来と同等にチャンする数字をプッシュする簡便な操作で可能とされるようにするデジタルテレビジョンチューナ装置を提供することを目的に提案されたものである。
【課題を解決するための手段】
【０００７】
上述した目的を達成する本発明にかかるデジタルテレビジョンチューナ装置は、チューナ回路部と、直交周波数分割多重復調回路部と、画像信号処理回路部と、デジタル番組映像信号−アナログ番組映像信号変換回路部と、リモートコントロール信号受信回路部とを備える。デジタルテレビジョンチューナ装置は、チューナ回路部において、アンテナ部で受信した複数の放送方式による放送電波から所定の周波数帯域の放送電波を選択し、この放送電波を増幅して出力する。デジタルテレビジョンチューナ装置は、直交周波数分割多重復調回路部において、チューナ回路部から出力された所定周波数帯域の放送電波に対して所定の復調処理を施して復調放送番組信号を出力する。デジタルテレビジョンチューナ装置は、画像信号処理回路部において、直交周波数分割多重復調回路部から出力される復調放送番組信号に所定の復調処理を施して放送番組映像信号を生成する。デジタルテレビジョンチューナ装置は、画像信号処理回路部からデジタル番組映像信号が出力されると、デジタル番組映像信号−アナログ番組映像信号変換回路部により、このデジタル番組映像信号をアナログ番組映像信号に変換する処理を施してテレビジョン受像機へと供給する。デジタルテレビジョンチューナ装置は、リモートコントロール信号受信回路部において、リモートコントローラから出射されたチャンネル切替信号を受信してチューナ回路部の周波数選択特性を設定する制御信号を出力する。
【０００８】
デジタルテレビジョンチューナ装置においては、例えば地上波デジタルテレビジョン放送番組とともにＢＳ衛星放送やＣＳ衛星放送の受信が可能であり、使用者のリモートコントローラのチャンネル切替操作によって出射されたチャンネル切替信号をリモートコントロール信号受信部において受信する。デジタルテレビジョンチューナ装置においては、例えばアンテナ部で地上波デジタルテレビジョン放送の放送電波を受信すると、直交周波数分割多重復調回路部において復調処理を行った後にデジタル番組映像信号−アナログ番組映像信号変換回路部によって従来のアナログ放送と同様のアナログ番組映像信号に変換してテレビジョン受像機へと供給する。デジタルテレビジョンチューナ装置においては、この場合に、第１チャンネル乃至第１２チャンネルの放送電波を合波せずにそれぞれ単独の番組映像信号としてテレビジョン受像機へとアナログ番組映像信号を供給する。デジタルテレビジョンチューナ装置においては、リモートコントローラとして従来型のリモートコントローラを用いて、このリモートコントローラに所定のプリセットのみを行っておく。デジタルテレビジョンチューナ装置においては、リモートコントローラによって例えば第１チャンネルの選択操作を行うことによって、第１チャンネルの放送番組がテレビジョン受像機によって放映されるようにする。
【０００９】
また、デジタルテレビジョンチューナ装置においては、例えばデジタル番組映像信号−アナログ番組映像信号変換回路部から２チャンネル分の番組映像信号をテレビジョン受像機へと供給するようにする。デジタルテレビジョンチューナ装置においては、かかる仕様の場合に専用型のリモートコントローラが用いられ、使用者が例えば第１チャンネルの放送番組を視聴しようとしてそのチャンネル操作を行うとこのリモートコントローラから出力される２チャンネル分の選択制御信号をリモートコントロール信号受信部において受信する。デジタルテレビジョンチューナ装置においては、リモートコントローラから続けて例えば第１チャンネルの選択信号が出力されることにより、この選択信号に基づいて第１チャンネルの放送番組がテレビジョン受像機によって放映されるようにする。
【発明の効果】
【００１０】
以上のように構成された本発明にかかるデジタルテレビジョンチューナ装置によれば、画像処理を施されたデジタル番組映像信号をアナログ番組映像信号に変換してテレビジョン受像機へと供給するデジタル番組映像信号−アナログ番組映像信号変換回路部を備えることにより、従来のテレビジョンチューナ装置と同様にリモートコントローラから出力されるチャンネル選択信号に応じたアナログ番組映像信号に基づく放送番組がテレビジョン受像機に放映されるようになる。したがって、デジタルテレビジョンチューナ装置によれば、リモートコントローラでチャンネル設定を行う従来と同様の操作によって所定の地上波デジタルテレビジョン放送番組を直接指定することが可能となり、もっぱらテレビジョン放送番組を視聴する使用形態が中心となる者にとって使い勝手の大幅な向上が図られるようになる。
【発明を実施するための最良の形態】
【００１１】
以下、本発明の実施の形態について図面を参照して詳細に説明する。実施の形態として示したデジタルテレビジョンチューナ装置（以下、単にチューナ装置と略称する。）１０は、既存のテレビジョン受像機に接続されて用いられる。チューナ装置１０は、地上波デジタルテレビジョン放送ばかりでなく、ＢＳ衛星放送或いはＣＳ衛星放送についても対応することが可能であることは勿論である。
【００１２】
チューナ装置１０には、例えば図１に示すように地上波デジタルテレビジョン放送対応のテレビジョン受像機（以下、単にテレビジョン受像機と略称する。）１に接続される場合に、テレビジョン受像機１のリモートコントローラ３側から各種のリモートコントロール信号が供給される。テレビジョン受像機１は、その前面部に赤外線受光部２を設け、リモートコントローラ３から出射された各種のリモートコントロール信号を受信する。チューナ装置１０には、ＵＨＦ（Ultra high Frequency）帯域用アンテナ（ＵＨＦアンテナ）４で受信した地上波デジタルテレビジョン放送の帯域電波が供給される。なお、チューナ装置１０は、筐体にリモートコントローラ３から出射されたリモートコントロール信号を受信する赤外線受光部２０が設けられる。
【００１３】
チューナ装置１０には、図２に示すように、チューナ回路部１１と、直交周波数分割多重復調回路部（以下、ＯＦＤＭ復調回路部と称する。）１２と、画像信号処理回路部１３（以下、ＡＶデコーダと称する。）と、デジタル番組映像信号−アナログ番組映像信号変換回路部１４（以下、ＲＦエンコーダと称する。）と、リモートコントロール信号受信部１５とが備えられている。これら個々の回路部については、従来のチューナ装置やテレビジョン受像機に備えられている同等の回路部と基本的な構成を同等とすることから、これらの詳細な回路構成の説明については省略する。
【００１４】
チューナ装置１０は、詳細を後述するようにＲＦエンコーダ１４の出力端子１６ａ、１６ｂがテレビジョン受像機１側の映像入力端子５ａ、５ｂとそれぞれ接続される。チューナ装置１０は、出力端子１６ａ、１６ｂをテレビジョン受像機１側のビデオ端子、Ｓ端子或いはＤ端子のいずれと接続するようにしてもよいが、接続する端子に合わせてテレビジョン受像機１に対してビデオ端子、Ｓ端子或いはＤ端子入力モードとする制御信号を出力するようにする。
【００１５】
なお、チューナ装置１０は、図示しないがチューナ回路部１１と分岐されて音声信号を処理する音声処理回路部等も備えられている。チューナ装置１０は、音声処理回路部で処理した所定の放送電波の音声或いは音響信号をテレビジョン受像機１側の音声信号入力端子に供給する。
【００１６】
チューナ装置１０は、チューナ回路部１１にＵＨＦアンテナ４で受信した地上波デジタルテレビジョン放送の放送電波（１３チャンネル〜５２チャンネル）或いはＢＳ衛星放送やＣＳ衛星放送の放送電波が供給される。チューナ装置１０には、チューナ回路部１１にリモートコントロール信号受信回路１５からチャンネル切替信号が供給される。チャンネル切替信号は、使用者がリモートコントローラ３によってチャンネル切替操作を行うことによって出射されたリモートコントロール信号を赤外線受光部２０で受信することによって、リモートコントローラ３側から所定の制御信号としてチューナ回路部１１に供給される。
【００１７】
チューナ装置１０は、予めリモートコントローラ３によって指定するチャンネル番号に応じて所定の周波数帯域の番組放送を設定するように、チューナ回路部１１の周波数選択特性が予めプリセットされる。チューナ回路部１１は、設定された周波数選択特性に基づいてＵＨＦアンテナ４から供給された多数の放送電波から所定の周波数帯域の放送電波を選択して増幅するチューニング処理を行い、ＯＦＤＭ復調回路部１２に出力する。
【００１８】
チューナ装置１０は、ＯＦＤＭ復調回路部１２において放送局から変調処理を施して送信された所定の周波数帯域の放送電波に対して所定の復調処理を施し、復調番組映像信号をＡＶデコーダ１３へと出力する。チューナ装置１０は、ＡＶデコーダ１３において、復調番組映像信号に対して所定の画像処理を施して番組映像信号を生成してＲＦエンコーダ１４へと出力する。
【００１９】
チューナ装置１０は、リモートコントローラ３によって地上波デジタルテレビジョン放送番組のチャンネルが指定されることによってＡＶデコーダ１３からデジタル番組映像信号が出力された場合に、ＲＦエンコーダ１４において、このデジタル番組映像信号をアナログ番組映像信号に変換する処理を行って出力端子１６ａ、１６ｂを介してテレビジョン受像機１に供給する。なお、ＲＦエンコーダ１４は、ＡＶデコーダ１３から出力される番組映像信号がアナログ番組映像信号の場合に、このアナログ番組映像信号をテレビジョン受像機１に供給する。
【００２０】
以上のように構成されたチューナ装置１０においては、従来慣れ親しんだテレビジョン受像機１のリモートコントローラ３が用いられ、上述したようにリモートコントローラ３のキー数字に対応するチャンネルに対応した地上波デジタルテレビジョン放送番組の周波数帯域を選択する周波数選択特性がチューナ回路部１１に予めプリセットされる。チューナ装置１０においては、使用者がリモートコントローラ３によってチャンネル切替操作を行い、出射されたリモートコントロール信号を赤外線受光部２０において受信し、リモートコントロール信号受信回路１５からチューナ回路部１１に対してチャンネル切替信号が供給される。
【００２１】
チューナ装置１０においては、このチャンネル切替信号に基づいて周波数選択特性が設定されたチューナ回路部１１において、ＵＨＦアンテナ４で受信した地上波デジタルテレビジョン放送番組の放送電波の選択が行われる。チューナ装置１０においては、第１チャンネル乃至第１２チャンネルの放送電波を合波せずにそれぞれ単独の番組映像信号として処理し、従来のアナログテレビジョン放送の処理と同様にＲＦエンコーダ１４からテレビジョン受像機１へとアナログ番組映像信号を供給する。チューナ装置１は、これによってリモートコントローラ３により選択されたチャンネル番号に対応する放送番組がテレビジョン受像機１によって放映されるようにする。
【００２２】
なお、チューナ装置１０は、地上波デジタルテレビジョン放送用の専用リモートコントローラ３を用いても同様にして選択されたチャンネル番号に対応する放送番組をテレビジョン受像機１によって放映されるようにする。チューナ装置１０は、ＲＦエンコーダ１４からいわゆる裏表２チャンネル分の番組映像信号がテレビジョン受像機１へと供給するようにする。チューナ装置１０には、リモートコントロール信号受信部１５に対してテレビジョン受像機１を介して専用リモートコントローラ３から出射される２チャンネル分のリモートコントロール信号が供給される。チューナ装置１０は、この状態で専用リモートコントローラ３から引き続いて出力される１チャンネル分のリモートコントロール信号によって所定の番組映像信号を選択して当該放送番組がテレビジョン受像機１によって放映されるようにする。
【図面の簡単な説明】
【００２３】
【図１】本発明にかかるチューナ装置を内蔵した地上波デジタルテレビジョン受像機とリモートコントローラとの斜視図である。
【図２】同チューナ装置の構成ブロック図である。
【符号の説明】
【００２４】
１        テレビジョン受像機
２        受光部
３        リモートコントローラ
４        ＵＨＦアンテナ
５        映像入力端子
１０      チューナ装置（デジタルテレビジョンチューナ装置）
１１      チューナ回路
１２      ＯＦＤＭ復調回路部（直交周波数分割多重復調回路部）
１３      ＡＶデコーダ（画像信号処理回路部）
１４      ＲＦエンコーダ（デジタル番組映像信号−アナログ番組映像信号変換回路部）
１５      リモートコントロール信号受信部
１６      出力端子
【図１】
2006135600.tif 000003
【図２】
2006135600.tif 000004